(57)【要約】【課題】            容易にＬＥＤ電球へセードを取り付けられる照明器具を提供する。【解決手段】        ＬＥＤ電球３００を光源とする照明器具１０００において、ＬＥＤ電球３００の周囲を覆うよう筒状に形成され、上端部が開放されたセード４００の開口部４１０に一体的に形成された係止片４２０を、ＬＥＤ電球３００の放熱部３２０の発光面側端部３２１と電球カバー３１０の平面３１３との接着により放熱部３２０と電球カバー３１０の接着部近傍の外周面に形成された係止段部３１４に係合させることで、容易にＬＥＤ電球３００へセード４００を取り付けることができる。【選択図】          図６
2012238441.tif 000002
【特許請求の範囲】
【請求項１】
ＬＥＤ素子、前記ＬＥＤ素子の発熱を放熱する筒状の放熱部及び前記放熱部に接合固定された前記ＬＥＤ素子を覆う電球カバーを具備したＬＥＤ電球と、
前記ＬＥＤ電球の周囲を覆うよう筒状に形成され少なくとも上端部が開放したセードとを備え、
前記ＬＥＤ電球は、前記電球カバーと前記放熱部との接合部近傍の外周面に係止段部を形成し、
前記セードは、前記係止段部に係合される係止片を上端部に設けられた開口部に一体的に形成したことを特徴とする照明器具。
【請求項２】
ＬＥＤ素子、前記ＬＥＤ素子の発熱を放熱する筒状の放熱部及び前記放熱部に接合固定された前記ＬＥＤ素子を覆う電球カバーを具備したＬＥＤ電球と、
前記ＬＥＤ電球の周囲を覆うよう筒状に形成され少なくとも上端部が開放したセードとを備え、
前記ＬＥＤ電球は、前記電球カバーの露出する部位の外径を前記放熱部の外径より大きく形成することにより、前記電球カバーの外周面に前記係止段部を形成し、
前記セードは、前記係止段部に係合される係止片を上端部に設けられた開口部に一体的に形成したことを特徴とする照明器具。
【請求項３】
前記係止片を前記セードの前記開口部の内周縁全体に形成したことを特徴とする請求項１または請求項２に記載の照明器具。
【請求項４】
前記係止片を前記セードの前記開口部の内周縁に所定の間隔をおいて複数形成したことを特徴とする請求項１または請求項２に記載の照明器具。
【請求項５】
前記セードの前記開口部の直径を前記電球カバーの外径よりも小さく形成したことを特徴とする請求項１〜請求項４のいずれかに記載の照明器具。
【請求項６】
前記セードを合成樹脂製としたことを特徴とする請求項１〜請求項５のいずれかに記載の照明器具。
【発明の詳細な説明】
【技術分野】
【０００１】
本発明は、ＬＥＤ電球を光源とする照明器具に関する。
【背景技術】
【０００２】
ＬＥＤ電球を光源とする照明器具において、透過性を有するセードをＬＥＤ電球に直接取り付けているものがある。この場合、ＬＥＤ電球の金属製の放熱部の外周部下端にツメを設け、セードをそのツメに引っ掛けてＬＥＤ電球の発光部を覆うように取り付けている（例えば、特許文献１参照。）。
【先行技術文献】
【特許文献】
【０００３】
【特許文献１】意匠登録１３８４４７７号公報
【発明の概要】
【発明が解決しようとする課題】
【０００４】
しかしながら、ＬＥＤ電球の放熱部の外周部下端にツメを設け、このツメにセードを引っ掛けて取り付ける構造であると他のツメを有さないＬＥＤ電球とは互換性がなく、他のツメを有さないＬＥＤ電球ではセードの取り付けができないという課題があった。
【０００５】
また、ＬＥＤ電球の取り付け、取り外しの際は照明器具を取り外さないとセードが外せないため、ＬＥＤ電球の交換作業に手間がかかるという課題があった。
【０００６】
本発明は、容易にＬＥＤ電球へセードの取り付けを可能とすることを目的とする。
【課題を解決するための手段】
【０００７】
本発明に係る照明器具は、ＬＥＤ素子、このＬＥＤ素子の発熱を放熱する筒状の放熱部及びこの放熱部に接合固定されたＬＥＤ素子を覆う電球カバーを具備したＬＥＤ電球と、このＬＥＤ電球の周囲を覆うよう筒状に形成され少なくとも上端部が開放したセードとを備え、ＬＥＤ電球は、電球カバーと放熱部との接合部近傍の外周面に係止段部を形成し、セードはその係止段部に係合される係止片を上端部に設けられた開口部に一体的に形成したことを特徴とする。
【発明の効果】
【０００８】
本発明によれば、ＬＥＤ電球を構成する放熱部との接合部に形成された係止段部を利用して、セードを取り付けることができるため、照明器具の構成部品の点数を少なくできるとともにＬＥＤ電球へのセードの取付作業が容易になる。また、ＬＥＤ電球の放熱部を開放することによりＬＥＤ電球の放熱性を妨げることなく、ＬＥＤ電球のＬＥＤ素子からの発熱を効率良く放熱することができる。
【図面の簡単な説明】
【０００９】
【図１】実施の形態１の照明器具を示す斜視図である。
【図２】図１の照明器具の一部の断面を示す部分断面図である。
【図３】図２のＬＥＤ電球の部分断面を示す断面図である。
【図４】図２のＬＥＤ電球の電球カバーの斜視図である。
【図５】図１のセードを示す斜視図である。
【図６】図２のＬＥＤ電球からセードを外した状態を示す部分断面図である。
【図７】図６のＬＥＤ電球にセードを取り付ける前の状態と、取り付けた後の状態を示す拡大断面図である。
【図８】実施の形態１の他の形状のセードをＬＥＤ電球に取り付ける前の状態と、取り付けた後の状態を示す拡大断面図である。
【図９】実施の形態１の他の形状のＬＥＤ電球を示す部分断面図である。
【発明を実施するための形態】
【００１０】
実施の形態１．
以下、本実施の形態について図１乃至図１０に基づいて説明する。
図１は本実施の形態の照明器具を示す斜視図、図２は図１の照明器具の一部の断面を示す断面図である。
【００１１】
照明器具１０００は、室内の天井等に設置されている引掛けシーリングボディ１０に取り付けられる器具本体１００と、この器具本体１００に着脱自在に取り付けられるＬＥＤ電球３００と、このＬＥＤ電球３００の発光部を覆うセード４００から構成される。
【００１２】
器具本体１００は、天井に取り付けられた引掛けシーリングボディ１０を通して商用電源からの電力供給を受け、ＬＥＤ電球３００を点灯させる。
【００１３】
器具本体１００は、引掛けシーリングボディ１０に取り付ける引掛けシーリングキャップ１１０と、この引掛けシーリングキャップ１１０と引掛けシーリングボディ１０とを覆うシーリングカバー１２０と、引掛けシーリングキャップ１１０に接続される吊下げコード１３０と、この吊下げコード１３０に接続されるソケット部２００から構成される。
【００１４】
引掛けシーリングキャップ１１０は、引掛けシーリングボディ１０に取り付けて、照明器具１０００を吊り下げるとともに、引掛けシーリングボディ１０を介して商用電源から供給される電力を入力する。
【００１５】
シーリングカバー１２０は、引掛けシーリングキャップ１１０を覆うカバーであり、引掛けシーリングキャップ１１０と引掛けシーリングボディ１０との接続部分を含む全体を覆って外部から隠すとともに、照明器具１０００の意匠性を向上させる。
【００１６】
吊下げコード１３０は、引掛けシーリングキャップ１１０とソケット部２００とを物理的及び電気的に接続し、ランプソケット２３０を吊り下げるとともに、引掛けシーリングキャップ１１０を通して引掛けシーリングボディ１０から入力された商用電源からの電力をソケット部２００に供給する。
【００１７】
ソケット部２００は、吊下げコード１３０の一端側を覆う飾りパイプ２１０と、ソケットカバー２２０と、このソケットカバー２２０に覆われ、ＬＥＤ電球３００を取り付けるランプソケット２３０と、このランプソケット２３０をソケットカバー２２０に固定するソケット台２４０と、から構成される。
【００１８】
飾りパイプ２１０は、ソケットカバー２２０と吊下げコード１３０の接続部分を覆って外部から隠すとともに、照明器具１０００の意匠性を向上させる。
【００１９】
ソケットカバー２２０は、ランプソケット２３０及びソケット台２４０を覆って外部から隠し、ＬＥＤ電球３００を取り付けるために下面が開放された円筒形であり、この円筒形の上面に平板部２２１を有する。
【００２０】
ソケットカバー２２０は、上面の平板部２２１を飾りパイプ２１０とソケット台２４０との間に挟み込んで固定している。
【００２１】
平板部２２１には、放熱穴２２２が４個設けられている。なお、放熱穴２２２の数は４個に限らず、ＬＥＤ電球３００から伝わる発熱に応じて３個以下又は５個以上としてもよいし、あるいは、放熱穴２２２を設けなくてもよい。
【００２２】
ランプソケット２３０は、ソケット台２４０に取付けられており、このソケット台２４０を介して吊下げコード１３０と電気的に接続され、引掛けシーリングキャップ１１０から供給された商用電源からの電力をＬＥＤ電球３００に供給し、点灯させる。
【００２３】
ソケット台２４０は、飾りパイプ２１０と取付ネジで接続されており、ランプソケット２３０をソケットカバー２２０に固定する固定台である。
【００２４】
図３は、図２のＬＥＤ電球の一部の断面を示す断面図である。
ＬＥＤ電球３００は、ＬＥＤ素子３０１と、このＬＥＤ素子３０１を実装する基板３０２と、この基板３０２に実装されたＬＥＤ素子３０１を覆う半球面状の透過性を有するガラス製の電球カバー３１０と、ＬＥＤ素子３０１を実装した基板３０２を内部の台座３０３に接合固定し、ＬＥＤ素子３０１からの発熱を放熱させる筒状をした金属製の放熱部３２０と、ランプソケット２３０にはめ込まれ器具本体１００に固定される口金３３０と、から構成される。
【００２５】
放熱部３２０の発光面側の開放端（発光面側端部３２１）の外形形状は、略円形である。
【００２６】
なお、本実施の形態では、電球カバー３１０がガラス製である場合を説明するが、電球カバー３１０は樹脂製のものを使用してもよい。また、本実施の形態では、放熱部３２０が金属製である場合を説明するが、放熱部３２０は放熱性の高い部材であればよい。
【００２７】
図４は、図３のＬＥＤ電球の電球カバーを示す斜視図である。
電球カバー３１０は、半球面状に形成され、この半球面状に形成された端縁部を円周に沿って内側に折り曲げて形成される折り曲げ部３１１と、この折り曲げ部３１１から突出して、中央側に開口部３１２を有する平面３１３（以下、接着面３１３ともいう。）が形成される。
【００２８】
電球カバー３１０の折り曲げ部３１１近傍の外径は、放熱部３２０の発光面側端部３２１の外径に略等しい外径φＣである。
【００２９】
電球カバー３１０と放熱部３２０とは、電球カバー３１０の接着面３１３と放熱部３２０の発光面側端部３２１をつき合わせて接着することにより接合されている。
【００３０】
このとき、接着面３１３を形成する際に電球カバー３１０の折り曲げ部３１１に適度なＲ形状（曲面形状）を設けることによって、放熱部３２０と電球カバー３１０とが接合された状態で、放熱部３２０の発光面側端部３２１と電球カバー３１０の外周との間に窪んだ係止段部３１４が形成される。
【００３１】
また、電球カバー３１０の折り曲げ部３１１にＲ形状を設けることにより、カバーとしての強度を増すことができる。なお、電球カバー３１０の外周面に係止段部３１４を形成するために、電球カバー３１０の端縁部の外径を放熱部３２０の発光面側端部３２１の外径より大きく形成してもよい。
【００３２】
図５は、図２の照明器具のセードを示す斜視図である。
セード４００は、シリコーンゴムなどの軟質弾性体で構成され、一体的に形成されている。
【００３３】
セード４００は、全体が半透明でランプソケット２３０に接続されたＬＥＤ電球３００の少なくとも発光部の周囲を覆い、ＬＥＤ電球３００から出た光を拡散して和らげる効果がある。
【００３４】
セード４００は、円錐の上下の両端部が開放された筒状で上部から下部に広がるように形成され、その上部の内周縁に係止片４２０を一体的に形成し、この係止片４２０の内側に開口部４１０が開けられている。
【００３５】
図６は、図２のＬＥＤ電球からセードを外した状態を示す部分断面図、図７は、図２のＬＥＤ電球とセードとの取り付け前の状態（図７（ａ））と取り付け後（図７（ｂ））の状態を示す拡大断面図である。
【００３６】
この係止片４２０の断面の形状は、図７（ａ）に示すように先端部が丸い形状となっている。
セード４００をＬＥＤ電球３００に装着すると、係止片４２０が係止段部３１４に嵌まり込み、係止片４２０が弾性変形して、セード４００はＬＥＤ電球３００に係止される。
【００３７】
また、係止片４２０は、セード４００の内周縁全体に形成した一連のものである。なお、セード４００の内周縁全体に形成した一連の係止片４２０の途中に切れ目を入れたり、あるいは所定の間隔をおいて複数の切れ目を入れることで、係止片４２０を複数に分割して形成したものとしてもよい。
【００３８】
セード４００の係止片４２０の先端部を結んで形成される開口部４１０の直径φＤは、ＬＥＤ電球３００の電球カバー３１０の最大外径φＣより小さく設定されており、φＤ＜φＣの関係にある。セード４００は軟質弾性体で一体的に形成されているため、セード４００をＬＥＤ電球３００へ取り付けるときに電球カバー３１０の先端部を開口部４１０に当てて押し込むと、係止片４２０およびセード４００の上端側が変形し、電球カバー３１０を乗り越え、係止段部３１４の位置に達すると、変形していた係止片４２０が元の形状に復元して係止段部３１４に嵌り込む構造となっている。
【００３９】
本実施の形態における照明器具１０００は、ＬＥＤ電球３００を接続するランプソケット２３０と、このランプソケット２３０を覆うソケットカバー２２０を備える器具本体１００と、セード４００を係合させた状態において、ＬＥＤ電球３００の放熱部３２０が照明器具１０００の外部へ露出して外気と接する構造のため、ＬＥＤ電球３００からの放熱を妨げることなく、効率的に照明器具１０００の外部へ放熱させることができる。
【００４０】
本実施の形態における照明器具１０００は、ＬＥＤ電球３００を接続するランプソケット２３０と、このランプソケット２３０を覆うソケットカバー２２０を備える器具本体１００と、セード４００とを備えるので、セード４００の取付工程でネジなどの止め金具を用いずに、セード４００をＬＥＤ電球３００に嵌め込んで取り付けることができるため、組み立てが容易であり、かつ、照明器具１０００の天井等への取付作業を効率的に行うことができる。
【００４１】
また、照明器具１０００を構成する部品点数を少なくすることができるため、省資源化・軽量化を図ることができる。
【００４２】
本実施の形態における照明器具１０００は、ＬＥＤ電球３００を接続するランプソケット２３０と、このランプソケット２３０を覆うソケットカバー２２０を備える器具本体１００と、セード４００を係合させた状態において、セード４００はＬＥＤ電球３００の光を受けてセード４００全体に光が拡散され、セード４００全体が光るので、ＬＥＤ電球３００の点灯時における照明器具１０００の意匠性を向上させることができる。
【００４３】
セード４００は、軟質弾性体で構成されているので、セード４００をＬＥＤ電球３００に取り付ける際に、セード４００を誤って下面に落下させたとしても、セード４００が破損する恐れが低減され、取付作業に伴う安全性を高めることができる。
【００４４】
また、セード４００を落下させても、セード４００が破損する恐れが低減され、セード４００が破損することなどにより照明器具１０００ごと交換する必要性がなくなるので、省資源化を図ることができる。
【００４５】
なお、セード４００を構成する軟質弾性体としては、シリコーンゴムの他、天然ゴムやその他の合成ゴムなどを使用してもよい。また、セード４００を構成する軟質弾性体は、柔軟性と弾力とを備えた材料であればよい。さらに、セード４００を構成する軟質弾性体は、紫外線や熱による硬化などの劣化をしにくい性質を有していることが好ましい。
【００４６】
また、セード４００の材質に関しては軟質弾性体が適しているが、係止片４２０が変形し、係止段部３１４の位置において復元することを目的としているため、ポリカーボネイト、アクリル等の透過性があり、弾性変形可能な合成樹脂を使用し、一体的に形成してもよい。
【００４７】
図８は、本実施の形態の他の形状のセードとの取り付け前の状態（図８（ａ））と取り付け後の状態（図８（ｂ））を示す拡大断面図である。
図８に示すセード４００の係止片４２０ａは、尖った形状となっている。
このように、係止片４２０ａの形状を尖らせても、係止片４２０ａは、放熱部３２０と電球カバー３１０の接続部に形成された係止段部３１４に係合することができる。すなわち、係止片４２０ａは、ＬＥＤ電球３００の放熱部３２０と電球カバー３１０との接合部に形成された係止段部３１４に係合可能な先端部形状を有するものであればよい。
【００４８】
また、電球カバー３１０と放熱部３２０との接合は、図９（ａ）に示すように、電球カバー３１０の端縁部を筒状に形成して、この筒状部の外側（嵌合面３１３ａ）を放熱部３２０の内側（内壁）に嵌合させ、この嵌合面３１３ａを接着して接合するようにしてもよい。また、嵌合面３１３ａを放熱部３２０の内側に接着せずに、接着面３１３を放熱部３２０に接着してもよいし、嵌合面３１３ａを放熱部３２０の内側に接着するとともに、接着面３１３を放熱部３２０の発光面側端部３２１に接着しても構わない。
【００４９】
また、図９（ｂ）に示すように、電球カバー３１０の端縁部を筒状に形成して、この筒状部の内側（嵌合面３１３ｂ）を放熱部３２０内部のＬＥＤ３０１を実装した基板３０２が接合固定された台座３０３の外側に嵌合させ、嵌合面３１３ｂを台座３０３の外側に接着して接合するようにしてもよい。また、嵌合面３１３ｂを台座３０３の外側に接着せずに、接着面３１３を放熱部３２０に接着してもよいし、嵌合面３１３ｂを台座３０３の外側に接着するとともに、接着面３１３を放熱部３２０の発光面側端部３２１に接着しても構わない。
【００５０】
また、接着面３１３は、必ずしも水平面である必要はなく、例えば、図９（ｃ）に示すように、放熱部３２０の発光面側端部３２１から台座３０３近傍までを水平面に対して傾けた傾斜面３１５を形成し、この傾斜面３１５に当接させて接着させるように、電球カバー３１０の接着面３１３ｃを斜めに形成してもよい。
【符号の説明】
【００５１】
１０００  照明器具、１０  引掛けシーリングボディ、１００  器具本体、１１０  引掛けシーリングキャップ、１２０  シーリングカバー、１３０  吊下げコード、２００  ソケット部、２１０  飾りパイプ、２２０  ソケットカバー、２２１  平板部、２２２  放熱穴、２３０  ランプソケット、２４０  ソケット台、３００  ＬＥＤ電球、３０１  ＬＥＤ素子、３０２  基板、３０３  台座、３１０  電球カバー、３１１  折り曲げ部、３１２  開口部、３１３  平面（接着面）、３１３ａ、３１３ｂ  嵌合面、３１３ｃ  接着面、３１４  係止段部、３１５  傾斜面、３２０  放熱部、３２１  発光面側端部、３３０  口金、４００  セード、４１０  開口部、４２０、４２０ａ  係止片。
【図１】
2012238441.tif 000003
【図２】
2012238441.tif 000004
【図３】
2012238441.tif 000005
【図４】
2012238441.tif 000006
【図５】
2012238441.tif 000007
【図６】
2012238441.tif 000008
【図７】
2012238441.tif 000009
【図８】
2012238441.tif 000010
【図９】
2012238441.tif 000011